(57)【要約】  対応する連結部分と連結するための、インプラントシステムのための連結装置であって、連結装置には、中心軸に関して延在している少なくとも１つの壁部が設けられ、前記少なくとも１つの壁部の少なくとも一部は、前記対応する連結部分の少なくとも１つの対応する壁部に動作可能に当接し、それによって、前記連結装置と前記連結部分とが互いに対して所定の位置に動作可能に保たれ、前記少なくとも１つの壁部の第１の部分は、前記中心軸に対して略平行に延在し、又は前記中心軸に対する比較的小さな第１の角度で延在し、前記少なくとも１つの壁部の第２の傾斜された部分が前記中心軸に対して比較的大きくテーパーされ、又は前記第１の角度より大きい前記中心軸に対する第２の角度で延在し、それによって、前記連結装置を前記連結部分と連結すると、相対的なオープンスペースが、前記第２の傾斜された部分と前記対応する連結部分との間に設けられる。
2011527596.tif 000002
【特許請求の範囲】
【請求項１】
対応する連結部分と連結するための、インプラントシステムのための連結装置であって、
前記連結装置には、中心軸に関して延在している少なくとも１つの壁部が設けられ、
前記少なくとも１つの壁部の少なくとも１部は、前記対応する連結部分の少なくとも１つの対応する壁部に動作可能に当接し、それによって、前記連結装置及び前記連結部分が互いに対して所定の位置に動作可能に保たれる、連結装置において、
前記少なくとも１つの壁部の第１の部分は、前記中心軸に対して略平行に延在し、又は前記中心軸に対する比較的小さな第１の角度で延在し、
前記少なくとも１つの壁部の第２の傾斜された部分は、前記中心軸に対して比較的大きくテーパーされ、又は前記第１の角度より大きい前記中心軸に対する第２の角度で延在し、それによって、前記連結装置を前記連結部分と連結すると、相対的なオープンスペースが、前記第２の傾斜された部分と前記対応する連結部分との間に設けられることを特徴とする連結装置。
【請求項２】
前記連結装置の前記少なくとも１つの壁部は、中心軸に関して延在している隣接している表面を備え、前記隣接している表面の外周は、多角形を形成し、前記外周は、前記中心軸に対して垂直な平面において延在し、前記隣接している表面の少なくとも１部は、前記対応する連結部分の対応する表面に動作可能に当接し、それによって、前記連結装置を前記連結部分と連結すると、前記中心軸に関する相互回転は妨げられ、
第１の表面は、前記中心軸に対して少なくとも部分的に略平行に延在し、又は前記中心軸に対する少なくとも比較的小さな第１の角度で延在し、
第２の傾斜された表面は、前記中心軸に対して比較的大きくテーパーされ、又は前記第１の角度より大きい前記中心軸に対する少なくとも第２の角度で延在し、それによって、前記連結装置を前記連結部分と連結すると、相対的なオープンスペースが、前記第２の傾斜された表面と前記対応する連結部分との間に設けられることを特徴とする請求項１に記載の連結装置。
【請求項３】
前記第２の角度は、約５°と約７０°との間であり、特に前記第１の角度より約１０°大きい角度と前記第１の角度より約４０°大きい角度との間のであることを特徴とする請求項１又は２に記載の連結装置。
【請求項４】
前記第１の角度は、約１５°より小さい又は約１５°に等しい、好ましくは約５°より小さい、又は約５°に等しいことを特徴とする請求項１〜３のいずれか一項に記載の連結装置。
【請求項５】
少なくとも３つの表面、好ましくは４つの表面が設けられ、それによって前記外周は、少なくとも三角形、好ましくは少なくとも四角形を形成することを特徴とする請求項２〜４のいずれか一項に記載の連結装置。
【請求項６】
前記連結装置の前記少なくとも１つの壁部の約半分は、前記第２の傾斜された部分を含むことを特徴とする請求項１〜５のいずれか一項に記載の連結装置。
【請求項７】
前記連結装置の前記少なくとも１つの壁部の約半分は、前記第１の部分を含むことを特徴とする請求項１〜６のいずれか一項に記載の連結装置。
【請求項８】
前記連結装置は、アバットメントの一部であることを特徴とする請求項１〜７のいずれか一項に記載の連結装置。
【請求項９】
前記連結装置の前記少なくとも１つの壁部は、少なくとも１つの外壁部を形成し、前記連結部分の少なくとも１つの対応する内壁部を少なくとも部分的に動作可能に当接することを特徴とする請求項１〜８のいずれか一項に記載の連結装置。
【請求項１０】
請求項１〜９のいずれか一項に記載の連結装置及び前記連結部分が設けられたインプラントシステム。
【請求項１１】
前記連結部分は、前記連結装置の少なくとも１つの外壁部に動作可能に当接する少なくとも１つの内壁部を有することを特徴にする請求項１０に記載のインプラントシステム。
【請求項１２】
前記連結部分は、インプラントであることを特徴とする請求項１０又は１１に記載のインプラントシステム。
【請求項１３】
少なくとも２つのアセンブリを備え、
前記連結装置及び前記連結部分は、各アセンブリと連結され、
前記連結装置の少なくとも１つの壁部は、前記連結部分の少なくとも１つの壁部の一部に当接し、それによって、前記連結装置及び前記連結部分は、互いに対して所定の位置を取り、
第１のアセンブリの連結装置が第２のアセンブリの連結装置に対して所定の角度であることを特徴とする請求項１０〜１２のいずれか一項に記載のインプラントシステム。
【請求項１４】
インプラントシステムにおいて連結部分と連結装置を連結するための方法であって、
前記連結装置及び前記連結部分には、少なくとも１つの対応し、且つ部分的に動作可能に当接する壁部がそれぞれ設けられ、
前記連結装置の前記少なくとも１つの壁部の一部は、前記連結部分の少なくとも１つの対応する壁部に対して傾斜され、
前記連結装置及び前記連結部分は、互いに部分的に装着可能にスライドさせることを特徴とする方法。
【請求項１５】
前記連結装置の前記少なくとも１つの壁部の外周及び前記連結部分は、互いに対する前記連結装置及び前記連結部分の相互回転が妨げられるように、それぞれ配置されることを特徴とする請求項１４に記載の方法。
【請求項１６】
互いへの前記スライド後に、オープンスペースが前記連結装置の傾斜された部分と前記連結部分の対応する壁部との間に維持されることを特徴とする請求項１４又は１５に記載の方法。
【請求項１７】
２つの相互接続された連結装置は、２つの対応する連結部分とそれぞれ連結される一方、前記２つの接続された連結装置の間の距離は、略等しく維持され、
連結後、前記連結装置は、互いに対して所定の角度であり、特に１０°以上の角度であり、より具体的には２０°以上の角度であることを特徴とする請求項１４〜１６のいずれか一項に記載の方法。
【請求項１８】
２つの連結された連結装置は、互い対して所定の角度であり、特に１０°以上の角度であり、より具体的には、２０°以上の角度であり、
２つの連結された連結装置は、相互連結され、
前記連結装置は、前記対応する連結部分からそれぞれスライドされ、
前記連結装置の間の距離は、略等しく維持され、
前記連結部分の配置及び方向付けは略等しく維持されることを特徴とする請求項１４〜１７のいずれか一項に記載の方法。
【発明の詳細な説明】
【技術分野】
【０００１】
本願発明は、対応する連結部分と連結するための、インプラントシステムのための連結装置であって、連結装置には、中心軸に関して延在している少なくとも１つの壁部が設けられ、前記少なくとも１つの壁部の少なくとも１部は、前記対応する連結部分の少なくとも１つの対応する壁部に動作可能に当接し、それによって、前記連結装置と前記対応する連結部分とは、互いに対して相対的な位置に動作可能に保たれる、連結装置に関する。
【０００２】
本願発明はさらに、連結装置を連結するための方法に関する。
【背景技術】
【０００３】
アバットメント（ａｂｕｔｍｅｎｔ）などの第二の部分をインプラントと連結することは、周知である。アバットメントは次いで、例えば義歯の支持部として役立つのに対して、インプラントは、患者の顎内に固定される、特にネジで留めされる必要がある。アバットメントには、例えば、八角形の突出部が設けられ、該八角形の突出部は、インプラントの八角形の穴内にスライドされることができ、アバットメントの外側表面は、インプラントの内側表面に近接して当接する。連結されると、アバットメントとインプラントとの間の相互の回転は、それらの表面が互いに当接する点において妨げられるであろう。その結果、インプラントに対するアバットメントの方向付け又は位置決めは、アバットメントの方向付けによって決定される。他の適切なインプラントシステムには、例えば、対応する穴とともに、三角形の突出部、四角形の突出部、又は六角形の突出部が設けられる。多く場合、複数のインプラントは、ブリッジを介して相互接続される複数のアバットメントの当接構造で、又はインプラントと同時に連結されミルバー（ｍｉｌｌｅｄ  ｂａｒ）、クラウン（ｃｒｏｗｎ）、インプリント（ｉｍｐｒｉｎｔ）などの異なる構造で、顎に固定される。
【０００４】
原理上、インプラント及びアバットメントを連結すると、アバットメントの外側表面は、インプラントの内側表面に対して平行に延在する必要がある。その結果、アバットメントは、多くの場合インプラントの長手方向軸又は中心軸に対して略平行にインプラント内でスライドさせる。ブリッジを介して相互連結された複数のアバットメントを有する当接構造又は異なる構造が複数のインプラントと連結させるために必要とされる場合に、複数のインプラントが互いに対して平行に延在することは重要であり、それによって、同様に互いに平行に延在し、異なる相互連結されたアバットメントは、異なるインプラント内で同時にスライドさせることができ、再びそれらから取り除かれることができる。しかしながら、平行な位置においてインプラントを得ることは難しく、それ故に、平行な位置においてインプラントを得ることは常に実現可能ではない。そのような場合において、時々多角形が設けられていないアバットメントが使用され、それによって、アバットメントの装着の方向付け及び／又は方向は調節されることができる。しかしながら、その結果、システムの安定性、すなわち個別の方向付け及び回転の適正な防止は、多くの場合失われる。さらに、当接構造を有するインプラントのアセンブリはその結果、多くの場合堅くなくなる。
【発明の概要】
【発明が解決しようとする課題】
【０００５】
それ故に、既存の連結システム、特に既存のインプラントシステムに対して代替的なものを提供することは、本願発明の目的である。
【課題を解決するための手段】
【０００６】
この目的及び／又は他の目的は、請求項１による連結装置で達成されることができる。
【０００７】
この目的及び／又は他の目的はまた、請求項１４による方法で達成されることができる。
【０００８】
本願発明のさらなる効果及び手段は、以下の説明から得られ、以下の説明において、それらの発明は、添付された図面を参照して複数の例示的な実施形態においてより詳細に記載されるであろう。
【図面の簡単な説明】
【０００９】
【図１】アバットメントの正面図である。
【図２】図１のアバットメントの底面図である。
【図３】連結直前の、断面におけるアバットメント及びインプラントの２つのアセンブリの正面図である。
【図４】断面におけるインプラントと連結されたアバットメントの２つのアセンブリの正面図である。
【図５】インプリントがそれとともに製造された２つの相互接続された連結装置の正面図である。
【図６Ａ】アバットメントの正面図である。
【図６Ｂ】アバットメントの側面図である。
【図７Ａ】他のアバットメントの正面図である。
【図７Ｂ】他のアバットメントの側面図である。
【発明を実施するための形態】
【００１０】
この説明において、同一の部品又は対応する部品は、同一の参照符号又は対応する参照符号によって示される。図面において、実施形態は、ほんの一例として示される。そこで使用された構成要素は、ほんの一例として言及され、任意の方法で限定されるように解釈されるべきではない。他の部品はまた、本願発明の範囲内で使用されることができる。
【００１１】
図１及び図２は、アバットメント１を示し、該アバットメント１には、八角形の連結装置２が設けられる。アバットメント１の中心を通じて、且つ連結装置２を通じて、第１の中心軸Ｍは、アバットメント１の長手方向において延在する。連結装置２には、第１の中心軸Ｍに関して延在している８つの隣接している外側連結表面３Ａ及び３Ｂが設けられる。外側連結表面３Ａ及び３Ｂは、連結装置を連結部分５Ｂと連結するために使用される突出部の一部である。外側連結表面３Ａ及び３Ｂの周囲に延伸される（ｄｒａｗｎ）ことができる外周４は、上記の第１の中心軸Ｍに対して垂直な平面において延在することができ、八角形を形成する。そのようなアバットメント１は、例えば、その技術分野において八角形型アバットメント１と称される。
【００１２】
第１の表面３Ａは、第１の中心軸Ｍに対して略平行に延在する、又は第１の中心軸Ｍに対して少なくとも比較的小さな第１の角度αで延在するので、第１の表面３Ａは、アバットメント１の連結方向Ｋにおいていくらかテーパーされる。第１の角度αは、例えば、約０°と約１５°との間であり、好ましくは０°と５°との間である。示された例において、第１の角度αは、約３．２５°である。示された実施形態において、第１の表面３Ａ、すなわち連結装置２の外側連結表面３Ａ及び３Ｂの半分は、第１の中心軸Ｍに対して略平行に延在し、又は第１の中心軸Ｍに対して第１の角度αで延在する。示されるように、第１の表面３Ａは、当接した状態で互いに隣接しており、表面境界域７Ａによって接続される。
【００１３】
第１の表面３Ａの反対側には、一連の隣接している傾斜された表面３Ｂが延在する。それらの傾斜された表面３Ｂは、第１の中心軸Ｍに対して特有の第２の角度βで延在し、該第２の角度βは、上記の第１の表面３Ａの比較的小さな第１の角度αよりも大きい。例えば、傾斜された表面３Ｂの第２の角度βは、約５°と約７５°との間であり、特に約１０°と約４０°との間であり、例えば約２５°であり、それによって、第２の表面３Ｂは、アバットメント１の連結方向Ｋにおいて比較的大きくテーパーされる。例えば、第２の角度βは、第１の角度αより少なくとも５°大きく、特に少なくとも１０°大きく、より具体的には少なくとも２０°大きいので、第１の角度αは、０°であり、例えば０°と３０°との間であり、好ましくは０°と１５°との間である。示された実施形態は、外側連結表面３Ａ及び３Ｂの合計数の半分である４つの傾斜された表面３Ｂを備えるので、好ましくは、傾斜された表面３Ｂはクリアされ、それによって約２５°の第２の角度βを形成する。
【００１４】
図３には、インプラントシステムが示され、図３において、連結装置２は、この例においてインプラント５の一部である連結部分５Ｂ、より具体的には遠位のインプラント５である連結部分５Ｂと連結するために配置され、それによってアセンブリ１３を形成する。図３において、２つのアバットメント１、１Ａが示され、該２つのアバットメント１、１Ａは、連結方向Ｋにおいて２つの対応するインプラント５、５Ａと連結される。アバットメント１、１Ａは次いで、剛接続（ｒｉｇｉｄ  ｃｏｎｎｅｃｔｉｏｎ）によって、特にブリッジ８によって、相互接続される。剛接続はまた、異なる構造によって、例えば（図５に見られるように）ミルバー（ｍｉｌｌｅｄ  ｂａｒ）、クラウン（ｃｒｏｗｎ）、又はインプリント（ｉｍｐｒｉｎｔ）によって、形成されることができる。
【００１５】
第２の中心軸Ｍ’は、特にインプラント５の長手方向において、インプラント５の連結部分５Ｂの中心を通じて延在する。連結された状態（図４）において、インプラント５の第２の中心軸Ｍ’は、好ましくは、アバットメント１の第１の中心軸Ｍと少なくとも部分的に略一直線になる、又は第１の中心軸Ｍと略一直線になる。連結部分５Ｂには、内側連結表面６を有する穴が設けられ、第２の中心軸Ｍ’に対して略平行に延在する、又は第２の中心軸Ｍ’に対して比較的小さな角度で延在する。この比較的小さな角度は、例えば、上記の第１の角度αに略等しくてもよく、及び／又は特定の許容範囲の角度であってもよい。内側連結表面６の外周は好ましくは、略等しい寸法の側面を有する八角形であり、該外周は、第２の中心軸Ｍ’に対して垂直な平面において延在する。連結状態において、内側連結表面６の少なくとも一部は、アバットメント１の少なくとも外側の第１の表面３Ａに当接する。対応する連結部分１、５の連結表面３Ａ及び３Ｂの寸法及び角度は、特に、第１の中心軸Ｍ及び／又は第２の中心軸Ｍ’に関するアバットメント１の回転を妨げるために配置される。さらに、それによって、アバットメント１の方向付けは、インプラント５及び５Ｂの位置付けによって予め決定されることができる。
【００１６】
アバットメント１には、例えばネジ又は同様のものなどの固定手段を、それを通じて供給するための穴９が設けられることができる。例えば、インプラント５にはまた、例えばこの固定手段のための穴が設けられる。そのような固定手段とともに、アバットメント１は、インプラント５に連結されることができる。図４に見られることができるように、例えば固定手段を押し出すことによって、又は固定手段を締め付けることによって、アバットメント１の外部支持表面１１は、インプラント５に対して押圧され、特にインプラント５の内側受容カラー１０に対して押圧され、それによって、回転に対する、インプラント５からのアバットメント１の取り外しはまた、妨げられることができる。
【００１７】
一の実施形態において、インプラント５の内側受容カラー１０は、アバットメント１の円錐状の外側支持表面１１と同様に、連結方向Ｋにおいていくらかテーパーされる。それらの両方は、対応して斜めに延在すると同時に、内側受容カラー１０は、アバットメント１の外側支持表面１１に対して当接し、且つ少なくとも連結状態において、アバットメント１の外側支持表面１１に対して略等しい角度で延在する。その結果として、連結装置２は、比較的容易にインプラント５内に供給されることができる。
【００１８】
連結状態において、アバットメント１の傾斜された表面３Ｂは、第１の中心軸Ｍに対して第２の角度βで延在する。第１の中心軸Ｍに対する傾斜された表面Ｂの第２の角度βは、好ましくは、第２の中心軸Ｍ’を有するインプラント５の対応する内側表面６の角度よりも大きく、それによって、連結状態において、空間１２は、傾斜された表面３Ｂとインプラント５の対応する表面６との間に明らかに残されることができる。インプラント５の内側表面６の角度は、例えば約０°であり、又は第１の表面３Ａの上述した第１の角度αに略等しく、それによって、内側表面６及び外側の第１の表面３Ａは、連結状態において、互いに当接する。
【００１９】
傾斜された斜面３Ｂの利点は、連結装置２が連結方向Ｋにおいてインプラント５内に配置される一方、連結方向Ｋが（図４に見られるように）第１の中央軸Ｍ又は第２の中央軸Ｍ’に対して平行である必要がないことである。連結装置２はまた、連結方向Ｋと反対方向であり、且つ連結方向Ｋに対して平行であり、第１の中心軸Ｍ又は第２の中心軸Ｍ’の一方に対して平行ではない開放方向Ｋ’において、インプラント５から取り外されることができる。連結装置２は、傾斜された表面３Ｂによって、空間１２が明確に残されており、且つ次いで、インプラント５の内側受容カラー１０との衝突が起こる必要がないので、インプラント５の第２の中心軸Ｍ’に対していくらか傾斜している方向Ｋにおいて配置され、且つ／又は取り除かれることができる。追加の利点は、剛接続で連結された２つの連結装置２を配置すると、連結装置２が対応するインプラント５、５Ａ内に同時に配置させることができ、且つ／又はインプラント５、５Ａから同時に取り外されることができる一方、図３及び図４から明らかであるように、インプラント５、５Ａ、及び少なくとも連結部分５Ｂが互いに対して平行に延在することを必要としないことである。このため、本願発明によるインプラントシステムとの作業は、従来のインプラントシステムより少ない正確さを必要とする。例えば、２つのインプラント５，５Ａ、それらの少なくとも中心軸Ｍ’は、互いに対して少なくとも１０°の角度である、具体的には４０°の角度である、より具体的には少なくとも７０°の角度であってもよい一方、２つの連結装置２は、回転を防止するようにインプラント５、５Ａの連結部分５Ｂにおいて配置されることができ、インプラント５、５Ａの方向付けの影響を逆に及ぼさずに、それらから開放させることができる。最大角度γは、本質的に、傾斜された表面３Ｂの第２の角度βに関連している。連結装置２には約２５°の第２の角度βで傾斜された表面３Ｂが設けられている場合に、例えば、インプラント５とアバットメント１との間の空隙は、例えば０°と５°との間の小さな第１の角度α及び例えば約５０°と約６０°との間である最大角度γに応じて、約２５°又は約３０°から及び／又は約２５°又は約３０°まで達成されることができる。２つのアセンブリ１３とともに、インプラント５、５Ａは、例えば、約６０°までの互いに対する角度γとされてもよい。
【００２０】
インプラント５、５Ａの平行ではない位置とともに、傾斜された表面３Ｂの方向付けは、適切な方法で選択されることができる。図４の例に見られることができるように、インプラント５、５Ａは、内部方向に傾く一方、傾斜された表面３Ｂは、外部方向に向けられる。インプラント５、５Ａの上部がより外部方向に傾けられる場合に、その結果、傾斜された表面は、例えば、より内部方向に向けられるであろう。
【００２１】
インプラントシステムにおいて、使用は、多くの場合インプリント技術によって製造され、インプリント物質１４によって、（図５に見られるように）口内の状況（ｍｏｕｔｈ  ｓｉｔｕａｔｉｏｎ）のコピーは得られることができる。インプリント状況において、例えば２つ又は複数のインプラント５、５Ａは、顎に配置され、その後、アバットメント１、１Ａの連結装置２は、それぞれインプラント５、５Ａの連結部分５Ｂと連結される。この後、インプリント物質１４は、アバットメント１、１Ａに亘って配置され、それによって、インプリントは、インプリント物質１４においてアバットメント１、１Ａから形成される。アバットメント１、１Ａは、次いでインプリント物質１４によって相互接続される。特定の角度γで傾斜された表面３Ｂとともに、連結方向Ｋと反対方向であり、且つ連結方向Ｋに対して平行である開放方向Ｋ’において、インプラント５、５Ａからインプリント物質１４とともにアバットメント１、１Ａを取り出すことは可能である一方、インプリント物質１４は、変形しない、又は変形することが難しい。インプリント物質１４は、例えば、プラスチックとされることができる。従来のインプリント技術では、インプラント５、５Ａは、正確なインプリントを得ることを可能にするように平行になる必要がある。
【００２２】
連結装置２及び八角形の外周４を有する対応する連結部分５と同一の原理によれば、連結装置２はまた、例えば、三角形、四角形、六角形、又は多角形、すなわち多角形で配置されることができると同時に、例えば、表面の半分は傾斜され、それによって空隙１２を形成する。好ましくは、連結装置２には、連結部分５Ｂから明白である一部の連結部分５Ｂを当接する一部が設けられ、それによって、第２の中心軸Ｍ’に対する特定の角度でのアバットメント１の開放は、空隙１２を通じて達成されることができる一方、同様に、回転方向において妨げられた位置付けは、連結装置２の当接部分及び連結部分５Ｂを通じて達成されることができる。これはまた、例えば、多角形と異なる設計で達成されることができる。例えば、連結装置２の外周及び／又は連結部分５Ｂは、クローバー形状とされてもよく、少なくとも部分的に丸みを帯びた壁部を有してもよい。また、これとともに、回転の防止は達成されることができ、同様に、インプラント５の第２の中心軸Ｍ’に対する角度又は少なくとも連結部分５Ｂに対する所定の角度でのアバットメント１の開放は、達成されることができる。
【００２３】
代替的な実施形態において、連結装置２及び／又は対応する連結部分５Ｂには、内側周面及び外側周面において、それぞれ、例えば周囲に連続的な壁部が設けられ、その一部は、好ましくはその半分は、傾斜される。例えば、壁部３Ｃは円筒であり、その一部３Ｄは傾斜される（図６Ａ及び図６Ｂに見られる）。対応する連結部分５Ｂには、例えば、対応する略円筒の壁部が設けられることができる。当然ながら、連結部分５Ｂ及び連結装置２の内側壁部及び外側壁部はそれぞれ、中心軸Ｍに対する小さな角度αを有することができ、それによって、壁部３Ｃは、略円錐形状とされてもよい。この実施形態では、例えば、連結された状態で、その中心軸Ｍに関してアバットメント１をさらに回転することは、可能とされてもよい。第２の代替的な実施形態は、例えば、図７Ａ及び図７Ｂに示されるように、連結装置２には外周に連続的な壁部３Ｅが設けられる一方、連結装置２の外周が、例えば丸みを帯びた角７Ｂを有する矩形形状を有するものである。対応する連結部分５Ｂの内壁部には、対応する内周が設けられる。連結装置２には、傾斜された表面３Ｆが設けられる。好ましくは、壁部３Ｅの約半分は傾斜される。この実施形態において、連結状態において、その中心軸Ｍに関するアバットメント１の回転は妨げられる。
【００２４】
アバットメント１の代わりに、他の装置にはまた、連結部分５Ｂと連結するための連結装置２が設けられることができる。インプラント５に固定される必要がある任意の装置は、本質的に本願発明による連結装置２を備えていることができる。インプラントに追加して、同様に、介在部材には、例えば連結装置２とインプラント５との間で連結するための連結部分５Ｂが設けられることができる。
【００２５】
上記の説明は、連結部分５Ｂの内側表面６と連結するための外側表面３Ａ、３Ｂを有する連結装置２に関連する。異なる実施形態において、連結装置２には、例えば内側表面が設けられる一方、連結部分には、対応する外側表面が設けられることができる。
【００２６】
本願発明はまた、別個の部品のキット、例えば、連結装置２及び／又は連結部分５Ｂ及び／又は連結部分５Ｂと連結装置２を連結するための固定手段、及び／又は２つの連結装置２、２Ａを接続するための剛接続、及び／又はその部品が例えばインプラントシステムの一部とされることができるインプリント装置、を備えることができる。そのようなキットとともに、例えば、アセンブリ１３は、得られることができる。
【００２７】
記載された変形実施形態及び多くの類似の変形実施形態、並びにそれらの組み合わせは、特許請求の範囲に記載された発明の枠組み内に含まれるように理解される。当然ながら、異なる実施形態の異なる態様及び／又はそれらの組み合わせは、組み合わせることができ、本願発明の枠組み内で交換されることができる。よって、本願発明は、上述された実施形態のみに限定されるべきではない。
【符号の説明】
【００２８】
１、１Ａ  アバットメント
２  連結装置
３Ａ  外側連結表面、第１の表面
３Ｂ  外側連結表面、傾斜された表面
４  外周
５、５Ａ  インプラント
５Ｂ  連結装置
６  内側連結表面
７Ａ  表面境界域
８  ブリッジ
９  穴
１０  内側受容カラー
１１  外側支持表面
１２  空間、空隙
１３  アセンブリ
Ｍ  第１の中心軸
Ｍ’  第２の中心軸
Ｋ  連結方向
α  第１の角度
β  第２の角度
γ  最大角度
【図１】
2011527596.tif 000003
【図２】
2011527596.tif 000004
【図３】
2011527596.tif 000005
【図４】
2011527596.tif 000006
【図５】
2011527596.tif 000007
【図６Ａ】
2011527596.tif 000008
【図６Ｂ】
2011527596.tif 000009
【図７Ａ】
2011527596.tif 000010
【図７Ｂ】
2011527596.tif 000011
【国際調査報告】
2011527596.tif 000012
2011527596.tif 000013
2011527596.tif 000014